(57)【要約】      （修正有）【課題】ボルト軸部に着脱容易に嵌装することができ、且つ簡単な作業でブラインドボルトとしての機能を果たすことが出来ると共に低廉な価格のボルト止め金具を提供する。【解決手段】左右一対の側壁部２、２を、両側壁部の一方の端部側に亘り設けた連結部３と、両側壁部の他端部に突設した保持部４によりボルト軸部に緩く嵌合し得るよう対設すると共に、両側壁部の外側端縁間に保持部４に連接する外側開放部５を形成し、両側壁部の内側端縁間に連結部３に連接する内側開放部６を設け、且つその入口部を斜状７に形成して、両側壁部がポルト軸部に対し直角向きに回動可能とする。この止め金具は所要厚さの金属板を型抜きし、折り曲げ加工により一体に製造される。【選択図】図７
0003186902.tif 000002
【実用新案登録請求の範囲】
【請求項１】
左右一対の側壁部を、両側壁部の一方の端部側に亘り設けた連結部と、上記両側壁部の他端部側に突設した保持部によりボルト軸部に緩く嵌合し得るよう対設すると共に、上記両側壁部の外側端縁間に前記保持部に連接する外側開放部を形成し、側壁部の内側端縁間に前記連結部に連接する内側開放部を設け、且つその入口部を斜状に形成して、両側壁部がポルト軸部に対し直角向きに回動し得るようにしてなるボルト止め金具。
【請求項２】
止め金具は所要厚さの金属板を型抜きし、折り曲げ加工により一体に製造してなる前記請求項１記載のボルト止め金具。
【考案の詳細な説明】
【技術分野】
【０００１】  本考案は、ボルト軸部に嵌装して、ボルト頭部より広径の貫通孔を備えた取付部材の上面に、ソーラーパネル等の装置を固定する際に使用するボルト止め金具に関するものである。
【背景技術】
【０００２】  従来、構造物の取付部材の上面にソーラーパネル等をボルトにより締結する場合には、ボルトを取付部材の裏面よりその貫通孔に挿入して、ボルト軸部を表側に突出させナットで締着するようにしている。
しかし、取付部材の裏側に手を差し込むことが出来ないような場合には、取付部材の表側から挿し込んでボルト頭部を固定できるようにしたボルト（ブラインドボルト）が知られている。
従来、この種ブラインドボルトとしては、ボルト軸部の頭部側に止め金具をピンで回動可能に軸着したものや、下記公知文献に示すように、ボルト軸部の頭部側に、口径を変更し得るように形成した筒状のカラーを取付けておき、施工時にその口径を広くして貫通孔部に係止し得るようにしたもの等が知られている。
【特許文献１】特開平９−１８９３１６
【考案の開示】
【考案が解決しようとする課題】
【０００３】  しかし、従来のブラインドボルトは、その製作に大変手間を取ると共に、コスト高になる難点ががあった。
本考案は上記従来品の難点に鑑みて発明したものであって、止め金具をボルト軸部に着脱容易に嵌装することができ、且つ簡単な作業でブラインドボルトとしての機能を果たすことが出来ると共に、低廉な価格で提供出来るようにしたものである。
【課題を解決するための手段】
【０００４】  本考案に係るボルト止め金具は、左右一対の側壁部を、両側壁部の一方の端部側に亘り設けた連結部と、上記両側壁部の他端部側に突設した保持部によりボルト軸部に緩く嵌合し得るよう対設すると共に、上記両側壁部の外側端縁間に前記保持部に連接する外側開放部を形成し、両側壁部の内側端縁間に前記連結部に連接する内側開放部を設け、且つその入口部を斜状に形成して、両側壁部がポルト軸部に対し直角向きに回動し得るように構成してなる。
また、本考案に係るボルト止め金具は、所要厚さの金属板を型抜きし、折り曲げ加工により一体に製造し得るようにしてなる。
【考案の効果】
【０００５】  本考案のボルト止め金具は、ボルトの軸部に着脱容易に嵌装することができると共に、軸部に沿って嵌装している金具は、軸部を少し揺動することにより、軸部に対して直角向きに回動し得るように構成してあるので、止め金具を軸部に沿って嵌装した状態でボルト頭部より広径の取付孔を有する取付部材の表側より挿し込んで後止め金具を回動させて、取付部材の裏側にボルト頭部を確実に固定することが出来る。
特にボルトを取付部材の裏側より取付けることが出来ない箇所に、ソーラーパネル等の装置を取付ける事が極めて円滑に行う事が出来る。
また、耐久性に優れていると共に、構成が簡単であり製造が容易であるため安価に提供できる。
更に、ボルト軸部に着脱容易に嵌装できるので、軸部の長さの異なる各種のボルトにつき利用できる利点も有る。
【実施例１】
【０００６】  以下添付図面に従って、本考案の一実施例を説明する。
１は本考案に係るボルト止め金具であって、左右一対の側壁部２、２を、両側壁部の一方の端部側に亘り設けた連結部３と、上記両側壁部の他端部側に突設した保持部４、４により、ボルトの軸部１０に沿ってスライド可能に緩く嵌合し得るように対設してある。
また、上記両側壁部２、２の外側端縁間に前記保持部３に連接する外側開放部５を形成し、両側壁部２、２の内側端縁間に前記連結部３に連接する内側開放部６を設け、且つその入口側の端部は、軸方向に直交する端面８を一部残して斜状７、７に形成して、止め金具１がボルト軸部２０に対し直角向きに回動出来るようにしてある。なお９は、連結部３及び保持部４の折曲加工を容易にするために設けた切欠溝を示す。
また、前記連結部３の内側端部を弧状１０に形成して、直角向きに回動した際にボルト軸部２０が係合すると共に該ボルト軸部２０が止め金具１の中央部に位置し得るようにしてある。なお、前記両側壁部２、２の長さは取付部材４０に挿通後に貫通孔４１に係止するように形成するものである。【０００７】  本考案に係るボルト止め金具１は、金属板の打抜き、折り曲げ加工により一体に製造することが出来る。
即ち、図５の展開図に示すように、所要厚さの矩形状金属板Ｐを打抜き加工して、両側壁部２、２、連結部３、保持部４、４、斜状部７、７及び弧状部１０を形成すると共に、折曲加工を容易にするための切欠溝９を夫々形成した部材３０を作成する。
而して、上記部材３０の連結部３を、ａ線に沿って、上側に直角に折り曲げると共に、保持部４、４を、ｂ線に沿って、夫々内側に直角に折り曲げ加工することにより、一体加工することができる。【０００８】  次に本考案に係るボルト止め金具１の使用動作につき説明する。
図６に示すように、本金具１をボルト軸部２０に沿って嵌装して、その入口側端部の軸方向と直交する端面８がボルト頭部２１の裏面に係止された状態で、取付部材４０の貫通孔４１に表側より挿入する。
そして、ボルト軸部２０を少し揺動させると、入口側端部を斜状７に形成してあるので、図７に示すように、本金具１はボルト軸部２０に対して略９０度回動して、その両側壁部２、２が貫通孔４１の周縁部に係止し得るようになる。
而して、図８に示すように、取付部材４０の表面にソーラーパネル等の装置５０を載せて、押さえ金具５１を使用してナット５２で締結すると、装置５０は取付部材４０上に確実に固定される。
【図面の簡単な説明】
【０００９】
【図１】  本考案に係るボルト止め金具の正面図である。
【図２】  同上平面図である。
【図３】  図２におけるＡ−Ａ線断面図である。
【図４】  同上斜視図である。
【図５】  打抜かれた部材の展開図である。
【図６】  ボルトに嵌装し取付部材の貫通孔に挿通した状態の正面図である。
【図７】  止め金具を回動した状態の正面図である。
【図８】  取付状態を示す参考図である。
【符号の説明】
【００１０】１      ボルト止め金具
２      側壁部
３      連結部
４      保持部
５      外側開放部
６      内側開放部
７      斜状部
８      軸方向に直交する端面部
９      切欠溝
１０    弧状部
２０    ボルト軸部
２１    ボルト頭部
３０    打抜かれた部材
４０    取付部材
４１    貫通孔
【図１】
0003186902.tif 000003
【図２】
0003186902.tif 000004
【図３】
0003186902.tif 000005
【図４】
0003186902.tif 000006
【図５】
0003186902.tif 000007
【図６】
0003186902.tif 000008
【図７】
0003186902.tif 000009
【図８】
0003186902.tif 000010